(57)【要約】【課題】既設保管庫のセキュリティ向上のために後付けでき、比較的簡単な構成で錠前機能を発揮でき、比較的コンパクトで美観を損なわない保管庫の電子錠前装置を提供すること。【解決手段】ハンドルＢＯＸ１１，１２，１９〜２２は、書庫１，２の扉４Ａ，４Ｂ，８及び引出し７Ａ〜７Ｃに取り付けられ、書庫１，２のハンドル５Ａ，５Ｂ，９Ａ〜９Ｄを選択的に露呈させ又は遮蔽し、電気的に動作する。デスク３には、パソコン３１等と使用者本人のＩＤ情報を入力するたまに使用者により操作されるカードリーダ３４が設けられる。パソコン３１及び各制御ユニット１７，２４は、ハンドルＢＯＸ１１，１２，１９〜２２とは別に構成され、入力されたＩＤ情報と事前登録された本人情報とを照合し、両情報が符合した場合に、上記したハンドル４Ａ，４Ｂ，８等を露呈させるためにハンドルＢＯＸ１１，１２，１９〜２２を制御する。【選択図】        図１
2008121205.tif 000002
【特許請求の範囲】
【請求項１】
保管庫の扉又は引出しに取り付けられ、前記保管庫の扉等係止解除用ハンドルを選択的に露呈させ又は遮蔽するために電気的に動作する遮蔽器と、
使用者の操作により使用者本人の識別情報を入力するための識別情報入力装置と、
前記識別情報入力装置に前記識別情報が入力されたときに前記入力された識別情報と事前登録された本人情報とを照合し、前記両情報が符合した場合に、前記扉等係止解除用ハンドルを露呈させるために前記遮蔽器を制御する制御装置と
を備えたことを特徴とする保管庫の電子錠前装置。
【請求項２】
前記遮蔽器は、前記保管庫に固定される枠体と、前記扉等係止解除用ハンドルを露呈させる露呈位置と前記扉等係止解除用ハンドルを遮蔽する遮蔽位置との間で移動可能に設けられた遮蔽部材と、前記遮蔽位置にて前記遮蔽部材をロックするためのロック機構とを含み、
前記制御装置は、前記本人情報を記憶した記憶部を含み、前記入力された識別情報が前記本人情報と符合した場合に、前記遮蔽部材のロック状態を解除するために前記ロック機構を制御する
ことを特徴とする請求項１に記載の保管庫の電子錠前装置。
【請求項３】
前記遮蔽器の前記枠体は、前記扉又は前記引出しの内側から締付部材により前記扉又は前記引出しに固定されることを特徴とする請求項２に記載の保管庫の電子錠前装置。
【請求項４】
前記ロック機構は、前記遮蔽部材の内側に設けられた被係合部と、前記枠体の内側にて前記被係合部に係合可能に設けられた係合部と、前記枠体の内側に設けられ、前記係合部を前記被係合部に対し選択的に係合又は離脱させるために駆動するソレノイドとを備えたことを特徴とする請求項２又は３に記載の保管庫の電子錠前装置。
【請求項５】
前記遮蔽器は、前記保管庫の複数の扉又は引出しのそれぞれに取り付けられ、前記識別情報入力装置及び前記制御装置は、前記保管庫又は前記保管庫以外の場所に配設され、前記各遮蔽器及び前記識別情報入力装置がそれぞれ配線を介して前記制御装置と通信可能に設けられることを特徴とする請求項１乃至４の何れかに記載の保管庫の電子錠前装置。
【請求項６】
前記扉又は前記引出しに取り付けられる表示器及び開閉スイッチを更に備え、前記制御装置は、前記扉等係止解除用ハンドルを露呈させるために前記遮蔽器を制御するときに、前記表示器を動作させた後に、前記開閉スイッチが操作されたときのみ前記ロック機構に前記遮蔽部材のロック状態を解除する動作を行わせることを特徴とする請求項２乃至５の何れかに記載の保管庫の電子錠前装置。
【発明の詳細な説明】
【技術分野】
【０００１】
この発明は、保管庫の扉又は引出しを電気的に施錠及び解錠することのできる電子錠前装置に係り、詳しくは、既設の保管庫のセキュリティ向上に好適な保管庫の電子錠前装置に関する。
【背景技術】
【０００２】
従来より、保管庫の扉又は引出しに予め電子錠を内蔵し、この電子錠の解錠及び施錠をコンピュータで制御管理するようにした装置は周知である。しかし、予め電子錠を内蔵した保管庫は高価であり、既設の保管庫がある場合に、新たに電子錠内蔵の保管庫を購入することは設備投資の無駄が大きい。また、電子錠内蔵の保管庫を新たに購入しても、既設の保管庫がある場合は、保管庫を入れ替えるために大掛かりな作業が必要になるばがりでなく、既設の保管庫を廃棄するなどの処分が問題となることもある。廃棄処分問題の観点からすれば既設の保管庫は、有効利用が図られるべきである。
【０００３】
ここで、既設の保管庫に後付けすることで保管庫の扉等の施錠・解錠をコンピュータで制御管理するようにした装置が、下記の特許文献１及び２に記載されている。特許文献１に記載の装置は、キー金具の挿入により施錠され、電圧をソレノイドに印加してキー金具との解錠を行う電子錠本体と、一端側に電子錠本体のフックと施錠する係止孔を含むキー金具本体とを備える。電子錠本体は保管庫の外面に後付けで固定される。そして、このキー金具本体の係止孔とフックとの施錠時に、キー金具本体の他端側にて保管庫の扉等の開動作を規制し、施錠後の扉等を機械的にロックするようになっている。電子錠本体は、解錠制御等を行うコンピュータ側とケーブルで接続される。
【０００４】
一方、特許文献２に記載の装置は、金庫の扉に設けられた金庫錠を露呈及び遮蔽可能に覆うカバーロックと、カバーロックにセット可能な認証キーとを備える。そして、認証キーは、カバーロックにセットされた状態で、認証キー側からカバーロック側に給電がなされて、カバーロックが認証キーの照合動作をすることで金庫錠を露呈させるようになっている。露呈させた金庫錠は、金庫鍵で開けることができる。ここで、認証キーには、送信手段と、認証用の識別符号を記憶する記憶部を有し認証キーがカバーロックにセットされることで送信手段を通じて認証用の識別符号を含む信号を送信するキー側制御部と、電源部と、電源部から外部へ給電を行う給電部とを備える。また、カバーロックは、金庫扉に固設されるベース部材と、金庫錠を露呈可能な位置と金庫錠を遮蔽可能な位置との間で移動自在なカバー部材と、カバー部材を遮蔽位置にロックする動作及びロックを解除するアンロック動作を行う施錠機構と、信号を受信する受信手段と、固有の識別符号を記憶した記憶部を有し受信手段を通じて受信された信号に含まれる認証用の識別符号が自己の固有の識別符号と一致している場合に施錠機構にアンロック動作を行わせる金庫側制御部と、認証キーがセットされた状態で給電部からの給電を受けて施錠機構及び金庫側制御部に給電する受電部とを備える。この装置によれば、認証キーによりカバーロックに給電できることから、金庫側の給電用ケーブルや電源等を無くすることができる。特許文献２では、本装置を金庫に適用しているが、金庫に類似した保管庫等にも適用できる。
【０００５】
【特許文献１】特開２００１−８２０１４号公報
【特許文献２】特開２００４−３６０２３９号公報
【発明の開示】
【発明が解決しようとする課題】
【０００６】
ところが、特許文献１に記載の装置では、保管庫の扉等を電子錠本体とキー金具本体との協働により機械的にロックするには、扉等の開閉方向の関係から、電子錠本体を保管庫の側面や上面に取り付けなければならず、複数の保管庫が左右に接して並んでいる場合や複数の保管庫が上下に積層配置されている場合には、保管庫の側面や上面に電子錠本体を取り付けることができないことがあった。また、扉等を機械的にロックするためには、電子錠本体やキー金具にある程度の大きさと強度が要求されるので、保管庫に取り付けた状態で、電子錠本体及びキー金具本体が大型化する傾向があり、後付け装置として美観がよくなかった。特に、扉等を複数有する保管庫には、全ての扉等に兼用される大型のキー金具を設けることも必要となり、装置全体が大型化するばかりでなく、保管庫自体の美観を大幅に損なうことにもなった。
【０００７】
一方、特許文献２に記載の装置では、仮に保管庫に適用した場合に、扉等の前面にて扉錠に対応してカバーロックを設ければよいので、カバーロックの取り付け位置が扉等の開閉方向によって制限を受けることはない。また、カバーロック自体は、扉錠を露呈及び遮蔽可能に覆う程度の大きさをなすものであり、保管庫が複数の扉等を有する場合であっても、各扉等の扉錠毎に単体で配置すればよいことから、特許文献１に記載の装置とは異なり、カバーロック自体の小型化が可能となり、後付け装置としての美観を確保することも可能である。しかしながら、特許文献２に記載の装置では、保管庫側の給電用ケーブルや電源等を無くするために、給電機能を有する認証キーをカバーロックにセットしなければならない。しかも、同時に複数の使用者に対応するためには、複数の認証キーを配備しなければならず、それら複数の認証キーを管理することも必要となり、管理スペースや管理装置が必要になった。更に、個々の認証キーには、送信手段、記憶部を有する側制御部、電源部及び給電部を設けなければならず、認証キー自体の構成が複雑で高価なものとなった。加えて、カバーロックにも、基本機能であるベース部材、カバー部材及び施錠機構の他に、受信手段、記憶部を有する金庫側制御部及び受電部を設けなければならず、カバーロック自体の構成が複雑で高価なものとなった。
【０００８】
この発明は上記事情に鑑みてなされたものであって、その目的は、既設の保管庫のセキュリティを向上させるために後付けが可能で、比較的簡単な構成により錠前機能を発揮することが可能で、しかも、比較的コンパクトで美観を損なうこともない保管庫の電子錠前装置を提供することにある。
【課題を解決するための手段】
【０００９】
上記目的を達成するために、請求項１に記載の発明は、保管庫の扉又は引出しに取り付けられ、保管庫の扉等係止解除用ハンドルを選択的に露呈させ又は遮蔽するために電気的に動作する遮蔽器と、使用者の操作により使用者本人の識別情報を入力するための識別情報入力装置と、識別情報入力装置に識別情報が入力されたときに入力された識別情報と事前登録された本人情報とを照合し、両情報が符合した場合に、扉等係止解除用ハンドルを露呈させるために遮蔽器を制御する制御装置とを備えたことを趣旨とする。
【００１０】
上記発明の構成によれば、遮蔽器が、保管庫の扉又は引出しに取り付けられた状態で、電気的に動作することにより、保管庫の扉等係止解除用ハンドルが選択的に露呈させられ又は遮蔽される。また、扉等係止解除用ハンドルは、閉状態の扉又は引出しを保管庫に係止させる既設の係止機構の動作を解除するために操作されるハンドルであり、扉又は引出しの前面に配設される。従って、扉等係止解除用ハンドルが遮蔽器により遮蔽されることで、同ハンドルの操作が阻止され、閉状態の扉又は引出しの保管庫に対する係止を解除することができない。一方、遮蔽器による遮蔽が解除されて、扉等係止解除用ハンドルが遮蔽器により露呈させられることで、同ハンドルの操作が許容され、閉状態の扉の保管庫に対する係止を解除することができ、扉又は引出しを開けることができる。使用者が遮蔽器を動作させるには、使用者が識別情報入力装置を操作して本人の識別情報を入力することにより行われる。制御装置は、識別情報入力装置で入力された識別情報を受けて、その識別情報が時事に前登録された本人情報と照合し、両情報が符合した場合に、遮蔽器を制御することで、扉等係止解除ハンドルを露呈させる。従って、保管庫の扉又は引出しを開けるために、使用者の個人認証が必要となる。また、この電子錠前装置は、保管庫に対しては、その扉又は引出しの前面に、少なくとも遮蔽器を取り付ければよく、識別情報入力装置や制御装置については、上記と同様に扉又は引出しの前面に取り付けてもよく、扉又は引出しの前面以外の適当な部位に取り付けてもよい。
【００１１】
上記目的を達成するために、請求項２に記載の発明は、請求項１に記載の発明において、遮蔽器は、保管庫に固定される枠体と、扉等係止解除用ハンドルを露呈させる露呈位置と扉等係止解除用ハンドルを遮蔽する遮蔽位置との間で移動可能に設けられた遮蔽部材と、遮蔽位置にて遮蔽部材をロックするためのロック機構とを含み、制御装置は、本人情報を記憶した記憶部を含み、入力された識別情報が本人情報と符合した場合に、遮蔽部材のロック状態を解除するためにロック機構を制御することを趣旨とする。
【００１２】
上記発明の構成によれば、請求項１に記載の発明の作用に加え、遮蔽器が、枠体、遮蔽部材及びロック機構を主要部品として構成され、制御装置が遮蔽器のロック機構を制御するので、遮蔽器それ自体に制御手段を設ける必要がない。
【００１３】
上記目的を達成するために、請求項３に記載の発明は、請求項２に記載の発明において、遮蔽器の枠体は、扉又は引出しの内側から締付部材により扉又は引出しに固定されることを趣旨とする。
【００１４】
上記発明の構成によれば、請求項２に記載の発明の作用に加え、枠体が扉又は引出しの内側から締付部材により扉又は引出しに固定されるので、締付部材による締め付けを扉又は引出しの外側から解除できない。
【００１５】
上記目的を達成するために、請求項４に記載の発明は、請求項２又は３に記載の発明において、ロック機構は、遮蔽部材の内側に設けられた被係合部と、枠体の内側にて被係合部に係合可能に設けられた係合部と、枠体の内側に設けられ、係合部を被係合部に対し選択的に係合又は離脱させるために駆動するソレノイドとを備えたことを趣旨とする。
【００１６】
上記発明の構成によれば、請求項２又は３に記載の発明の作用に加え、ロック機構の被係合部が、遮蔽部材の内側に設けられ、ロック機構の係合部とソレノイドが枠体の内側に設けられるので、遮蔽器の外側から被係合部、係合部及びソレノイドを操作することができない。
【００１７】
上記目的を達成するために、請求項５に記載の発明は、請求項１乃至４の何れかに記載の発明において、遮蔽器は、保管庫の複数の扉又は引出しのそれぞれに取り付けられ、識別情報入力装置及び制御装置は、保管庫又は保管庫以外の場所に配設され、各遮蔽器及び識別情報入力装置がそれぞれ配線を介して制御装置と通信可能に設けられることを趣旨とする。ここで、識別情報入力装置は、保管庫の前面側に取り付けてもよく、保管庫とは別の場所に設置してもよい。制御装置は、保管庫の上面側又は背面側に取り付けてもよく、保管庫とは別の場所に設置してもよい。
【００１８】
上記発明の構成によれば、請求項１乃至４の何れかに記載の発明の作用に加え、保管庫の複数の扉又は引出しのそれぞれに遮蔽器が取り付けられても、識別情報入力装置及び制御装置は、それぞれ一つを保管庫又は保管庫以外の場所に配設すればよいので、保管庫の前面側を簡素化することが可能となる。
【００１９】
上記目的を達成するために、請求項６に記載の発明は、請求項２乃至５の何れかに記載の発明において、扉又は引出しに取り付けられる表示器及び開閉スイッチを更に備え、制御装置は、扉等係止解除用ハンドルを露呈させるために遮蔽器を制御するときに、表示器を動作させた後に、開閉スイッチが操作されたときのみロック機構に遮蔽部材のロック状態を解除する動作を行わせることを趣旨とする。
【００２０】
上記発明の構成によれば、請求項２乃至５の何れかに記載の発明の作用に加え、使用者は、表示器が動作することで対象となる遮蔽器の所在を複数の遮蔽器の中から確認して特定することができ、特定された遮蔽器に係る開閉スイッチを使用者が操作することで、その遮蔽器を制御してロック機構に遮蔽部材のロック状態を解除する動作を行わせることができる。
【発明の効果】
【００２１】
請求項１に記載の発明によれば、既設の保管庫のセキュリティを向上させるために後付けすることができ、比較的簡単な構成により錠前機能を発揮することができ、しかも、比較的コンパクトで保管庫の美観を損なうこともない。
【００２２】
請求項２に記載の発明によれば、請求項１に記載の発明の効果に加え、遮蔽器それ自体の構成を簡略化することができる。
【００２３】
請求項３に記載の発明によれば、請求項２に記載の発明の効果に加え、遮蔽器を保管庫から不正に取り外し難くなり、その意味からも保管庫のセキュリティを向上させることができる。
【００２４】
請求項４に記載の発明によれば、請求項２又は３に記載の発明の効果に加え、遮蔽器を不正に操作し難くなり、その意味からも保管庫のセキュリティを向上させることができる。
【００２５】
請求項５に記載の発明によれば、請求項１乃至４の何れかに記載の発明の効果に加え、後付け装置としての機能と保管庫の美観確保を両立させることができる。
【００２６】
請求項６に記載の発明によれば、請求項２乃至５の何れかに記載の発明の効果に加え、使用者が複数の遮蔽器を前にして操作に戸惑うことがなく、使い勝手を向上させることができる。
【発明を実施するための最良の形態】
【００２７】
［第１実施形態］
以下、本発明における保管庫の電子錠前装置を具体化した第１実施形態につき図面を参照して詳細に説明する。
【００２８】
図１に、この実施形態における保管庫の電子錠前装置の全体構成を斜視図により示す。部屋の中には、保管庫に相当する第１の書庫１及び第２の書庫２と、デスク３が設置されている。各書庫１，２及びデスク３は、既設のものであり、例えば、スチール製の周知の構造をなす。
【００２９】
第１の書庫１は、上下２段に配列した観音扉４Ａ，４Ｂを備える。各観音扉４Ａ，４Ｂの前面側には、開閉用のハンドル５Ａ，５Ｂと扉錠６Ａ，６Ｂが設けられる。各ハンドル５Ａ，５Ｂは、観音扉４Ａ，４Ｂを開閉するために操作されるものであり、本発明の扉等係止解除用ハンドルに相当する。各観音扉４Ａ，４Ｂには、閉状態の観音扉４Ａ，４Ｂを書庫１に係止する係止機構（図示略）が設けられ、各ハンドル５Ａ，５Ｂは、各係止機構による係止を解除するために操作可能に設けられる。また、各扉錠６Ａ，６Ｂは、本発明の扉等錠に相当し、閉状態の観音扉４Ａ，４Ｂを書庫１に対し施錠又は解錠するために所定の鍵で操作されるものであり、各ハンドル５Ａ，５Ｂの真下に配設される。
【００３０】
第２の書庫２は、上下３段に配列した引出し７Ａ，７Ｂ，７Ｃと、最上段に配置した観音扉８とを備える。各引出し７Ａ〜７Ｃと観音扉８には、本発明の扉等係止解除用ハンドルに相当し、上記したハンドル５Ａ，５Ｂに準ずる開閉用のハンドル９Ａ，９Ｂ，９Ｃ，９Ｄが設けられる。また、最上段の引出し７Ａと観音扉８には、本発明の扉等錠に相当し、上記した扉錠６Ａ，６Ｂに準ずる引出し錠１０Ａと扉錠１０Ｂが設けられる。
【００３１】
第１の書庫１の前面側において、各観音扉４Ａ，４Ｂのハンドル５Ａ，５Ｂの部分には、本発明の遮蔽器に相当するハンドルＢＯＸ１１，１２がそれぞれ取り付けられる。上側の観音扉４Ａにて、扉錠６Ａの下側には、ＬＥＤボタン等を含む操作パネル１３が取り付けられる。図２に、ハンドルＢＯＸ１１を斜視図により示す。ハンドルＢＯＸ１１は、対応するハンドル５Ａを選択的に露呈させ又は遮蔽するために開閉可能に構成され、電気的に施錠及び解錠可能に構成される。ハンドルＢＯＸ１１は、書庫１の観音扉４Ａに固定される四角形状をなす枠体１４と、ハンドル５Ａを露呈させる露呈位置とハンドル５Ａを遮蔽する遮蔽位置との間で移動可能（開閉可能）に設けられた本発明の遮蔽部材としての遮蔽扉１５とを備える。ハンドルＢＯＸ１２の構成は、ハンドルＢＯＸ１１のそれと同じである。図３に、操作パネル１３を斜視図により示す。操作パネル１３は、各ハンドルＢＯＸ１１，１２を選択的に動作させるために操作される複数（この場合４個）のＬＥＤボタン１６を備える。各ＬＥＤボタン１６は、点灯可能かつオン・オフ操作可能に構成される。各ＬＥＤボタン１６は、本発明の表示器及び開閉スイッチに相当する。また、この書庫１の上面には、各ハンドルＢＯＸ１１，１２と操作パネル１３を制御する第１制御ユニット１７が取り付けられる。各ハンドルＢＯＸ１１，１２と操作パネル１３は、配線１８を介して第１制御ユニット１７に接続される。
【００３２】
第２の書庫２の前面側において、各引出し７Ａ〜７Ｃと観音扉８のハンドル９Ａ〜９Ｄの部分には、本発明の遮蔽器に相当し、上記したハンドルＢＯＸ１１，１２と同じ構成を有するハンドルＢＯＸ１９〜２２がそれぞれ取り付けられる。観音扉８にて、扉錠１０Ｂの下側には、上記した操作パネル１３と同じ構成を有する操作パネル２３が取り付けられる。また、この書庫２の上面には、上記した第１制御ユニット１７と同じ構成を有する第２制御ユニット２４が取り付けられる。各ハンドルＢＯＸ１９〜２２と操作パネル２３は、配線１８を介して第２制御ユニット２４に接続される。この配線１８は、各書庫１，２の内部を通って各制御ユニット１７，２４に接続される。
【００３３】
デスク３の上には、パソコン３１、モニタ３２、キーボード３３及びカードリーダ３４が設置される。周知のようにモニタ３２及びキーボード３３は、パソコン３１に電気的に接続される。パソコン３１には、配線３５を介して各制御ユニット１７，２４が接続される。カードリーダ３４は、パソコン３１に接続される。カードリーダ３４は、各ハンドルＢＯＸ１１，１２，１９〜２２とは別に構成され、使用者本人の識別情報（ＩＤ情報）を入力するために使用者が所持するＩＤカードの情報を読み取り可能に構成され、本発明の識別情報入力装置に相当する。パソコン３１と各制御ユニット１７，２４は、各ハンドルＢＯＸ１１，１２，１９〜２２を制御するためのものであり、各ハンドルＢＯＸ１１，１２，１９〜２２とは別に構成され、使用者の操作によりカードリーダ３４に入力されたＩＤ情報と事前登録された本人情報とを照合し、両情報が符合した場合に、複数のハンドル５Ａ，５Ｂ，９Ａ〜９Ｄを選択的に露呈させるために各ハンドルＢＯＸ１１，１２，１９〜２２を制御するように構成され、本発明の制御装置に相当する。
【００３４】
図４に、本実施形態の電子錠前装置の電気的構成をブロック図により示す。パソコン３１には、カードリーダ３４、各制御ユニット１７，２４が接続され、各制御ユニット１７，２４には、それぞれ各操作パネル１３，２３、各ハンドルＢＯＸ１１，１２，１９〜２３が接続される。従って、パソコン３１は、カードリーダ３４から入力される識別情報（ＩＤ情報）に基づき事前登録しておいた本人情報との照合を行うと共に、各制御ユニット１７，２４を介して各操作パネル１３，２３及び各ハンドルＢＯＸ１１、１２，１９〜２２を制御するように構成される。パソコン３１の記憶装置（ＲＯＭ）には、これら制御のための制御プログラムが記憶されている。また、各制御ユニット１７，２４の記憶装置（ＲＯＭ）には、パソコン３１からの制御指令を受けて個々のハンドルＢＯＸ１１，１２，１９〜２２の施錠及び解錠等を制御するための制御プログラムが記憶されている。この実施形態では、パソコン３１及び両制御ユニット１７，２４により、本発明の制御装置が構成される。パソコン３１及び各制御ユニット１７，２４とも、ＣＰＵ、ＲＯＭ、ＲＡＭ、ハードディスク等で構成されるアクセスデータメモリ及び入出力回路等の周知構成を備えたものである。パソコン３１のＲＡＭは、事前登録した本人情報を記憶する本発明の記憶装置に相当する。
【００３５】
次に、各ハンドルＢＯＸ１１，１２，１９〜２２の構造について説明する。ここでは、ハンドルＢＯＸ１１を代表的に説明する。図５に、第１の書庫１の観音扉４ＡにハンドルＢＯＸ１１が取り付けられた状態を断面図により示す。ハンドルＢＯＸ１１の枠体１４はベース４１を介して観音扉４Ａに固定され、遮蔽扉１５は、枠体１４に対して開閉可能に支持される。
【００３６】
図６に、観音扉４Ａに対するハンドルＢＯＸ１１の取付構造を、同ＢＯＸ１１の内側から分解斜視図により示す。観音扉４Ａには、上記したハンドル５Ａ及びそれに関連した係止機構等をケースに内蔵してなるハンドル組体４２が固定される。また、観音扉４Ａには、そのハンドル組体４２を中心に配置された４つの固定用孔４３と、同組体４２の近傍に配置されたセンサ配線用孔４４、ソレノイド配線用孔４５及びＬＥＤ配線用孔４６がそれぞれ形成される。そして、各固定用孔４３に対し、観音扉４Ａの内側から固定用ネジ４７を挿通し、ハンドルＢＯＸ１１のベース４１の四隅に形成された各ネジ孔４１ａに固定用ネジ４７を締め付けることで、ハンドルＢＯＸ１１が観音扉４Ａに固定される。このようにして、ハンドルＢＯＸ１１の枠体１４が、観音扉４Ａの内側から固定用ネジ４７により観音扉４Ａに固定されている。固定用ネジ４７は、本発明の締付部材に相当する。
【００３７】
図７に、ハンドルＢＯＸ１１のベース４１の取付構造を同ＢＯＸ１１の内側から分解斜視図により示す。ベース４１は、ハンドルＢＯＸ１１の枠体１４に対し、枠体１４の内側から５つのネジ４８により固定される。枠体１４の左内側には、遮蔽扉１５を遮蔽位置（閉位置）にて枠体１４にロックするためのロック機構４９が取り付けられる。また、ロック機構４９の真下には、動作表示用のＬＥＤ５０が取り付けられる。ベース４１には、このＬＥＤ配線用の切り欠き４１ｂが形成される。更に、枠体１４の右内側には、遮蔽扉１５の開閉状態を検知するための扉センサ５１が取り付けられる。
【００３８】
図８に、ハンドルＢＯＸ１１の枠体１４と遮蔽扉１５の組付構造等を枠体１４の内側から分解斜視図により示す。上記したロック機構４９は、遮蔽扉１５の内側に設けられたフック１５ａ（図２参照）と、枠体１４の内側にてフック１５ａに係合可能に設けられたツメ５２と、枠体１４の左内側に設けられ、ツメ５２をフック１５ａに対し選択的に係合又は離脱させるために駆動するソレノイド５３とを備える。フック１５ａは、本発明の被係合部に相当し、ツメ５２は、本発明の係合部に相当する。ソレノイド５３は、その励磁と消磁の動作に応答して上下動するピストン５３ａと、プランジャ５３ａの下端部にスプリングピン５４を介して取り付けられたロック部材５５と、そのロック部材５５に対応したブラケット５６とを備える。ブラケット５６には、ロック部材５５の下端部５５ａが係合可能なロック孔５６ａが形成される。また、ブラケット５６には、上記したツメ５２が、スプリングピン５７を中心に回動可能に取り付けられる。スプリングピン５７には、スプリング５８が装着され、そのスプリング５８によりツメ５２の回動が一方向へ付勢される。枠体１４に取り付けられたソレノイド５３は、ソレノイド押さえ５９により覆われて枠体１４に押し付けられる。枠体１４の右内側中央には、扉センサ５１がセンサ押さえ６０を介してネジ６１により固定される。更に、枠体１４の右側の上下には、遮蔽扉１５がその右縁部にて回動可能に取り付けられる。すなわち、遮蔽扉１５の右縁部には上下に延びる筒状の軸受１５ｂが一体形成され、その軸受１５ｂの上下端部にトルクヒンジ６２がスプリングピン６３を介して取り付けられ、そのトルクヒンジ６２の蝶番６２ａがスペーサ６４を介して枠体１４にネジ６５により締め付けられる。このように、取り付けられた遮蔽扉１５は、軸受１５ｂの部分を中心にして、ハンドル５Ａを露呈させる露呈位置（開き位置）と、ハンドル５Ａを遮蔽する遮蔽位置（閉じ位置）との間で移動可能（開閉可能）に設けられる。
【００３９】
図９，１０に、ロック機構４９の動作を斜視図により示す。ロック機構４９は、図９に示すように、遮蔽扉１５が遮蔽位置（閉じ位置）に配置された状態では、同扉１５のフック１５ａが、枠体１４のツメ５２に係合している。このとき、ソレノイド５３が消磁することで、下降したプランジャ５３ａの移動が規制され、ロック部材５５の下端部５５ａがブラケット５６のロック孔５６ａに係合したままとなり、フック１５ａとツメ５２との係合状態が保持される。つまり、遮蔽扉１５がその遮蔽位置（閉じ位置）にてロック（施錠）される。一方、図９に示す状態から、ソレノイド５３が励磁されることで、図１０に示すように、プランジャ５３ａが上動して、ロック部材５５の下端部５５ａがブラケット５６のロック孔５６ａから離脱する。これにより、フック１５ａとツメ５２との係合が解除される。つまり、遮蔽扉１５のロックが解除（解錠）される。
【００４０】
上記したように各ハンドルＢＯＸ１１，１２，１９〜２２、操作パネル２３，制御ユニット１７，２４及びパソコン３１等は、既設の書庫１，２に対し後付けされたものである。
【００４１】
次に、パソコン３１及び各制御ユニット１７，２４が各ハンドルＢＯＸ１１，１２，１９〜２２を制御するために実行する制御プログラムの内容について説明する。
【００４２】
図１１に、パソコン３１が実行する制御プログラムをフローチャートにより示す。
先ず、ステップ１００で、パソコン３１（以下、パソコン３１のＣＰＵを意味する。）は、カードリーダ３４で読み取られた識別情報（ＩＤ情報）に基づき個人認証を行う。ここでは、使用者が自分のＩＤカードをカードリーダ３４に近付けることにより、ＩＤカードに記録された使用者本人のＩＤ情報がカードリーダ３４に読み取られ、その読み取られたＩＤ情報をパソコン３１がそのＲＡＭに事前登録された本人情報と照合することにより、個人認証を行う。
【００４３】
次に、ステップ１１０で、パソコン３１は、個人認証した使用者に、パソコン３１の使用権限が有るか否かを判断する。この判断を、パソコン３１は、ＩＤカードのＩＤ情報に基づいて行う。使用権限がない場合、パソコン３１は、ステップ１４０で、モニタ３２にエラー表示を行い、その後の処理を終了する。使用権限がある場合は、パソコン３１は、ステップ１１１で、所定のアプリケーションを立ち上げるためにパソコン３１を起動させる。
【００４４】
その後、パソコン３１は、ステップ１１２で、アプリケーションの立ち上げを待って、ステップ１２０で、再びカードリーダ３４で読み取られたＩＤ情報に基づき個人認証を行う。
【００４５】
次に、ステップ１３０で、パソコン３１は、個人認証した使用者に、アプリケーションお使用権限が有るか否かを判断する。この判断を、パソコン３１は、ＩＤカードのＩＤ情報に基づいて行う。使用権限がない場合、パソコン３１は、ステップ１４０で、モニタ３２にエラー表示を行い、その後の処理を終了する。使用権限がある場合は、パソコン３１は、ステップ１３１で、現在使用可能なものを含み、ハンドルＢＯＸ１１，１２，１９〜２２の使用状況をモニタ３２に表示させる。
【００４６】
次に、パソコン３１は、ステップ１３２で、使用者により特定のハンドルＢＯＸ１１，１２，１９〜２２が指定されるのを待って、指定された場合は、ステップ１３３で、その指定が予約指定であるか否かを判断する。予約指定とは、現在使用中のハンドルＢＯＸ１１，１２，１９〜２２について、予約して指定することを意味する。予約指定でない場合、パソコン３１は、そのままステップ１３５へ移行する。予約指定である場合、ステップ１３４で、パソコン３１は、予約指定されたハンドルＢＯＸ１１，１２，１９〜２２の操作が終了するのを待って、ステップ１３５へ移行する。
【００４７】
ステップ１３５では、パソコン３１は、指定されたハンドルＢＯＸ１１，１２、１９〜２２の解錠準備ができたことをモニタ３２に表示させる。その後、ステップ１３６で、パソコン３１は、指定されたハンドルＢＯＸ１１，１２，１９〜２２のある書庫１，２の制御ユニット１７，２４へ制御指令を送信する。この制御指令を受けて、各制御ユニット１７，２４では、解錠・施錠のための所要の制御を実行することとなる。
【００４８】
その後、パソコン３１は、ステップ１３７で、指定されたハンドルＢＯＸ１１，１２，１９〜２２の使用者による操作が終了するのを待って、ステップ１３８で、ハンドルＢＯＸ１１，１２，１９〜２２の使用履歴をメモリに記憶し、その後の処理を終了する。ここで、使用履歴として、使用されたハンドルＢＯＸ１１，１２，１９〜２２、その使用者及び使用日時等を記憶するものとする。
【００４９】
次に、図１２に、各制御ユニット１７，２４が実行する制御プログラムをフローチャートにより示す。
先ず、制御ユニット１７，２４（以下、制御ユニット１７，２４のＣＰＵを意味する。）は、ステップ２００で、パソコン３１からの制御指令を受信するのを待って、ステップ２０１で、指定されたハンドルＢＯＸ１１，１２，１９〜２２に対応するＬＥＤボタン１６を点灯させる。
【００５０】
その後、制御ユニット１７，２４は、ステップ２０２で、点灯するＬＥＤボタン１６が押されるのを待って、ステップ２０３で、該当するハンドルＢＯＸ１１，１２，１９〜２２を解錠させる。すなわち、ロック機構４９のロックを解除させる。
【００５１】
次に、ステップ２０４で、制御ユニット１７，２４は、該当するハンドルＢＯＸ１１，１２，１９〜２２のＬＥＤ５０を点灯させる。
【００５２】
その後、ステップ２０５で、制御ユニット１７，２４は、該当するハンドルＢＯＸ１１，１２，１９〜２２の遮蔽扉１５が開いたか否かを判断する。この判断を、制御ユニット１７，２４は、ハンドルＢＯＸ１１，１２，１９〜２２に付けられた扉センサ５１の検知信号に基づいて判断する。解錠されたハンドルＢＯＸ１１，１２、１９〜２２の遮蔽扉１５が使用者により開けられると、この判断が肯定となる。
【００５３】
遮蔽扉１５が開くと、ステップ２０６で、制御ユニット１７，２４は、該当するハンドルＢＯＸ１１，１２，１９〜２２の遮蔽扉１５が閉じたか否かを判断する。この判断を、制御ユニット１７，２４は、同じく扉センサ５１の検知信号に基づいて判断する。開けられた遮蔽扉１５が使用者により閉じられると、この判断が肯定となる。
【００５４】
遮蔽扉１５が閉じられると、ステップ２０７で、制御ユニット１７，２４は、該当するハンドルＢＯＸ１１，１２，１９〜２２を施錠する。すなわち、ロック機構４９にロックを行わせる。
【００５５】
その後、制御ユニット１７，２４は、ステップ２０８で、該当するハンドルＢＯＸ１７，２４のＬＥＤ５０を消灯させ、ステップ２０９で、ハンドルＢＯＸ１１，１２，１９〜２２の使用履歴をメモリに記憶させると共に、パソコン３１へ送信する。
【００５６】
以上説明したこの実施形態の保管庫の電子錠前装置によれば、ハンドルＢＯＸ１１，１２，１９〜２２が、各書庫１，２の観音扉４Ａ，４Ｂ，８又は引出し７Ａ〜７Ｃに取り付けられた状態で、そのロック機構４９が電気的に動作することにより、各書庫１，２のハンドル５Ａ，５Ｂ，９Ａ〜９Ｄが遮蔽扉１５により選択的に露呈させられ又は遮蔽される。また、各ハンドル５Ａ，５Ｂ，９Ａ〜９Ｄは、閉状態の観音扉４Ａ，４Ｂ，８等を書庫１，２に係止させる既設の係止機構の動作を解除するために操作されるハンドルであり、観音扉４Ａ，４Ｂ，８等の前面に配設される。従って、各ハンドル５Ａ，５Ｂ，９Ａ〜９Ｄが各ハンドルＢＯＸ１１，１２，１９〜２２の遮蔽扉１５により遮蔽されることで、同ハンドル５Ａ，５Ｂ，９Ａ〜９Ｄの操作が阻止され、閉状態の観音扉４Ａ，４Ｂ，８等の書庫１，２に対する係止を解除することができない。一方、各ハンドルＢＯＸ１１，１２，１９〜２２の遮蔽扉１５による遮蔽が解除されて、各ハンドル５Ａ，５Ｂ，９Ａ〜９Ｄが対応するハンドルＢＯＸ１１，１２，１９〜２２の遮蔽扉１５により露呈させられることで、同ハンドル５Ａ，５Ｂ，９Ａ〜９Ｄの操作が許容され、閉状態の観音扉４Ａ，４Ｂ，８等の書庫１，２に対する係止を解除することができ、観音扉４Ａ，４Ｂ，８等を開けることができる。使用者がハンドルＢＯＸ１１，１２，１９〜２２を動作させるには、使用者がカードリーダ３４により本人のＩＤ情報を入力することにより行われる。パソコン３１及び制御ユニット１７，２４は、カードリーダ３４で入力されたＩＤ情報を受けて、そのＩＤ情報と事前登録された本人情報とを照合し、両情報が符合した場合に、各ハンドルＢＯＸ１１，１２，１９〜２２のロック機構４９を制御することで、各ハンドル５Ａ，５Ｂ，９Ａ〜９Ｄを露呈させる。従って、この電子錠前装置を構成する各ハンドルＢＯＸ１１，１２，１９〜２２、操作パネル２３，制御ユニット１７，２４及びパソコン３１等は、既設の書庫１，２に対し後付けされたものであり、使用者が各書庫１，２の観音扉４Ａ，４Ｂ，８等を開けるためには、使用者の個人認証が必要となる。また、この電子錠前装置は、書庫１，２に対して、その観音扉４Ａ，４Ｂ，８等の前面には、ハンドルＢＯＸ１１，１２，１９〜２２と操作パネル２３だけを取り付ければよく、カードリーダ３４やパソコン３１については、観音扉４Ａ，４Ｂ，８等の前面以外のデスク３の上に設置すればよく、制御ユニット１７，２４については、観音扉４Ａ，４Ｂ，８等の前面以外の書庫１，２の上面に設置すればよい。このため、既設の書庫１，２のセキュリティを向上させるために後付けすることができ、比較的簡単な構成により錠前機能を発揮することができ、しかも、比較的コンパクトな構成となり、書庫１，２の美観を損なうこともない。
【００５７】
また、この実施形態では、各ハンドルＢＯＸ１１，１２，１９〜２２が、枠体１４、遮蔽扉１５及びロック機構４９を主要部品として構成され、パソコン３１及び制御ユニット１７，２４が各ハンドルＢＯＸ１１，１２，１９〜２２のロック機構４９を制御するので、同ＢＯＸ１１，１２，１９〜２２それ自体に制御手段を設ける必要がない。この意味でも、各ハンドルＢＯＸ１１，１２，１９〜２２それ自体の構成を簡略化することができる。
【００５８】
また、この実施形態では、枠体１４が観音扉４Ａ，４Ｂ，８等の内側から固定用ネジ４７により同扉４Ａ，４Ｂ，８等に固定されるので、固定用ネジ４７による締め付けを同扉４ａ，４ｂ，８の外側から解除できない。このため、各ハンドルＢＯＸ１１，１２，１９〜２２を、書庫１，２から不正に取り外し難くなり、その意味からも書庫１，２のセキュリティを向上させることができる。
【００５９】
この実施形態では、ロック機構４９のフック１５ａが遮蔽扉１５の内側に設けられ、ロック機構４９のツメ５２とソレノイド５３が枠体１４の内側に設けられるので、ハンドルＢＯＸ１１，１２，１９〜２２の外側からフック１５ａ、ツメ５２及びソレノイド５３を操作することができない。このため、各ハンドルＢＯＸ１１，１２，１９〜２２を、不正に操作し難くなり、その意味からも書庫１，２のセキュリティを向上させることができる。
【００６０】
この実施形態では、各書庫１，２の複数の観音扉４Ａ，４Ｂ，８等のそれぞれにハンドルＢＯＸ１１，１２，１９〜２２が取り付けられても、カードリーダ３４、パソコン３１及び各制御ユニット１７，２４は、それぞれ一つをデスク３の上と各書庫１，２の上面に配設すればよいので、書庫１，２の前面側を簡素化することが可能となる。この意味で、後付け装置としての機能と書庫１，２の美観の確保を両立させることができる。
【００６１】
この実施形態によれば、パソコン３１が、各ハンドル５Ａ，５Ｂ，９Ａ〜９Ｄを選択的に露呈させるために各ハンドルＢＯＸ１１，１２，１９〜２２を制御するときに、ＬＥＤボタン１６を点灯させた後に、同ＬＥＤスイッチ１６が操作されたときのみロック機構４９に遮蔽扉１５のロック状態を解除する動作を行わせる。従って、使用者は、ＬＥＤボタン１６が点灯することで対象となるハンドルＢＯＸ１１，１２，１９〜２２の所在を複数の遮蔽器１１，１２，１９〜２２の中から確認して特定することができ、特定されたハンドルＢＯＸ１１，１２，１９〜２２に係るＬＥＤボタン１６を使用者が押すことで、そのハンドルＢＯＸ１１，１２，１９〜２２を制御してロック機構４９に遮蔽扉１５のロック状態を解除する動作を行わせることができる。このため、使用者が、複数のハンドルＢＯＸ１１，１２，１９〜２２を前にして操作に戸惑うことがなく、使い勝手を向上させることができる。
【００６２】
この実施形態では、先使用者がハンドルＢＯＸ１１，１２，１９〜２２を使用しているときでも、後使用者が同じハンドルＢＯＸ１１，１２，１９〜２２を予約指定することができる。また、先使用者の使用が終了すると、そのことが後使用者に知らされるので、後使用者は先使用者の使用終了後に直ちに予約指定したハンドルＢＯＸ１１，１２，１９〜２２を使用することができ、待ち時間を予想してパソコン３１やカードリーダ３４を再操作する必要がない。
【００６３】
［第２実施形態］
次に、本発明における保管庫の電子錠前装置を具体化した第２実施形態につき図面を参照して詳細に説明する。
【００６４】
尚、以下に説明する各実施形態（第２実施形態を含む）において、第１実施形態と同じ構成については同一の符号を付して説明を省略し、異なった点を中心に説明する。
【００６５】
図１３に、この実施形態における保管庫の電子錠前装置の電機的構成をブロック図により示す。この実施形態では、使用される書庫１Ａ，１Ｂ，２Ａ，２Ｂの数と操作されるパソコン（クライアントパソコン）３１Ａ〜３１Ｅの数が増えた場合に、それらをＬＡＮ７１を介して相互に接続することで、各クライアントパソコン３１Ａ〜３１Ｅの何れからも各書庫１Ａ，１Ｂ，２Ａ，２Ｂに設けられたハンドルＢＯＸ１１，１２，１９〜２２を操作できるように構成される。各クライアントパソコン３１Ａ〜３１Ｅには、それぞれカードリーダ３４Ａ〜３４Ｅが接続される。使用者は、出勤時にクライアントパソコン３１Ａ〜３１Ｅとカードリーダ３４Ａ〜３４Ｅを操作することでログインするようになっている。ＬＡＮ７１には、サーバ７２が接続される。サーバ７２には、使用者に関する本人情報が予め記憶されると共に、各書庫１Ａ，１Ｂ，２Ａ，２Ｂの各ハンドルＢＯＸ１１，１２，１９〜２２に関する使用履歴等の情報が記憶され、管理されるようになっている。また、サーバ７２には、各制御ユニット１７，２４を制御するためのプログラムが記憶される。この実施形態では、各クライアントパソコン３１Ａ〜３１Ｅと、各書庫１Ａ，１Ｂ，２Ａ，２Ｂの各制御ユニット１７，２４と、サーバ７２とにより、本発明の制御装置が構成される。各カードリーダ３４Ａ〜３４Ｅが、本発明の識別情報入力装置に相当する。
【００６６】
この実施形態では、各書庫１Ａ，１Ｂ，２Ａ，２ＢのハンドルＢＯＸ１１，１２，１９〜２２を操作する場合に、第１実施形態と同様に、使用者がクライアントパソコン３１Ａ〜３１Ｅ及びカードリーダ３４Ａ〜３４Ｅを操作する。このとき、クライアントパソコン３１Ａ〜３１Ｅは、サーバ７２に問い合わせて使用者がログインしていることを確認すると、各書庫１Ａ，１Ｂ，２Ａ，２ＢのハンドルＢＯＸ１１，１２，１９〜２２に関する現在の使用状況等がサーバ７２からクライアントパソコン３１Ａ〜３１Ｅに通知され、同パソコン３１Ａ〜３１Ｅのモニタ３２にてそれらの情報が表示される。その後、使用者が、クライアントパソコン３１Ａ〜３１Ｅを操作して目的のハンドルＢＯＸ１１，１２，１９〜２２を指定又は予約指定すると、その指定情報がサーバ７２に通知される。このとき、サーバ７２は、指定されたハンドルＢＯＸ１１，１２，１９〜２２の使用権限が使用者にあるかを確認し、使用権限がある場合は、サーバ７２が、指定されたハンドルＢＯＸ１１，１２，１９〜２２を制御する制御ユニット１７，２４に制御指令を送信する。これを受けて、制御ユニット１７，２４は、使用対象となる書庫１Ａ，１Ｂ，２Ａ，２Ｂの操作パネル１３，２３のＬＥＤボタン１６を点灯させ、解錠準備ができたことを、クライアントパソコン３１Ａ〜３１Ｅに通知する。これを受けて、クライアントパソコン３１Ａ〜３１Ｅは、解錠準備ができたことを、モニタ３２に表示させる。その後、ハンドルＢＯＸ１１，１２，１９〜２２を使用するために行う操作は、第１実施形態のそれと同じである。但し、この実施形態では、ハンドルＢＯＸ１１，１２，１９〜２２の使用が終了し、施錠が行われると、ハンドルＢＯＸ１１，１２，１９〜２２の使用履歴は、制御ユニット１７，２４からサーバ７２へ通知され、その情報がサーバ７２にて管理されるようになっている。
【００６７】
従って、この実施形態の電子錠前装置では、多数の書庫１Ａ，１Ｂ，２Ａ，２Ｂを多数の使用者が共用する場合に、最寄りのクライアントパソコン３１Ａ〜３１Ｅを操作することで、多数の書庫１Ａ，１Ｂ，２Ａ，２Ｂに設けられた各ハンドルＢＯＸ１１，１２，１９〜２２を容易に使用することができるので、大規模な業務施設での使用に好適となる。その他の作用効果については、第１実施形態のそれと同様である。
【００６８】
［第３実施形態］
次に、本発明における保管庫の電子錠前装置を具体化した第３実施形態につき図面を参照して詳細に説明する。
【００６９】
図１４に、この実施形態における保管庫の電子錠前装置の全体構成を斜視図により示す。この実施形態では、各制御ユニット１７，２４がそれぞれ無線装置７６，７７，７８を介してパソコン３１と通信可能に設けられる点で第１実施形態と構成が異なる。すなわち、各制御ユニット１７，２４には、送受信可能な無線装置７６，７７がそれぞれ接続され、パソコン３１には、送受信可能な無線装置７８が接続される。そして、各制御ユニット１７，２４とパソコン３１との間の信号のやりとりが、無線装置７６〜７８を介して行われるようになっている。
【００７０】
従って、この実施形態の電子錠前装置では、各制御ユニット１７，２４とパソコン３１との間の配線と、その配線作業の手間が省かれる。このため、後付け装置として、その施工作業を簡略化することができ、装置の構成機器に関するレイアウトの自由度を高めることができる。
【００７１】
［第４実施形態］
次に、本発明における保管庫の電子錠前装置を具体化した第４実施形態につき図面を参照して詳細に説明する。
【００７２】
前記第１実施形態では、デスク３に設置したパソコン３１及びカードリーダ３４を使用して個人認証を行い、使用可能なハンドルＢＯＸ１１，１２，１９〜２２をモニタ３２に表示するように構成した。この実施形態では、デスク３のパソコン３１とカードリーダ３４の替わりに、パソコン３１の機能を各書庫１，２の制御ユニット１７，２４に持たせ、各書庫１，２の観音扉４Ａ，４Ｂ等にカードリーダを設けて個人認証を行うように構成している。すなわち、この実施形態では、第１実施形態におけるパソコン３１、モニタ３２、キーボード３３、カードリーダ３４及び配線３５等を省略し、各書庫１，２だけで操作パネル１３，２３を使用して個人認証を行うようにしている。図１５に、各書庫１，２に設けられた操作パネル１３，２３を斜視図により示す。図１５に示すように、操作パネル１３，２３には、カードリーダ８１が内蔵される。使用者は、このカードリーダ８１にＩＤカードのＩＤ情報を読み取らせることにより個人認証を行うようになっている。
【００７３】
ここで、図１６に、各制御ユニット１７，２４が実行する制御プログラムをフローチャートにより示す。このフローチャートにおけるステップ３００〜３０９の処理のうち、ステップ３０２〜３０８の処理は、図１２のフローチャートにおけるステップ２０２〜２０８のそれぞれの処理内容と同じであることから、ここでの説明を省略する。このフローチャートでは、ステップ３００，３０１，３０９について、図１２のフローチャートにおけるステップ２００，２０１，２０９の処理内容と異なる。
【００７４】
すなわち、ステップ３００では、制御ユニット１７，２４は、カードリーダ８１で読み取られたＩＤ情報に基づき個人認証を行う。
【００７５】
次に、ステップ３０１で、制御ユニット１７，２４は、認証された個人の権限に基づくハンドルＢＯＸ１１，１２，１９〜２２に対応するＬＥＤボタン１６を点灯させる。
【００７６】
そして、制御ユニット１７，２４は、ステップ３０２〜３０８の処理を実行した後、ステップ３０９で、ハンドルＢＯＸ１１，１２，１９〜２２の使用履歴をメモリに記憶させる。
【００７７】
従って、この実施形態によれば、パソコン３１等及びパソコン３１等との配線３５を省略できるので、装置構成を簡素化することができ、施工作業を簡易化することができる。また、この実施形態の電子錠前装置は、一つの書庫だけを管理する場合の使用に便利である。
【００７８】
尚、この発明は前記実施形態に限定されるものではなく、発明の趣旨を逸脱することのない範囲で以下のように実施することができる。
【００７９】
（１）前記第１実施形態では、各ハンドルＢＯＸ１１，１２，１９〜２２が、ハンドル５Ａ，５Ｂ，９Ａ〜９Ｄのみを覆うように構成したが、ハンドルＢＯＸがハンドル及び扉錠を一緒に覆うように構成してもよい。この場合、ハンドルＢＯＸを解錠してその遮蔽扉を開けても、扉錠を鍵で解錠しなければ、書庫の扉や引出しを開けることができないので、書庫のセキュリティを更に向上させることができる。
【００８０】
（２）前記第３実施形態では、各制御ユニット１７，２４とパソコン３１との間の通信を行うための無線装置７６〜７８を設けたが、各制御ユニットと各ハンドルＢＯＸ及び各操作パネルとの間の通信を行うための無線装置を設けてもよい。この場合、各制御ユニットと各制御ユニットと各ハンドルＢＯＸ及び各操作パネルとの間の書庫における配線と、その配線作業の手間が省かれる。このため、後付け装置として、その施工作業を簡略化することができ、装置の構成機器に関するレイアウトの自由度を高めることができる。
【００８１】
（３）前記第２実施形態の構成に加え、図１５に示すように、操作パネル１３，２３にカードリーダ８１を内蔵し、使用者が点灯するＬＥＤボタン１６を押す前に、ＩＤカードのＩＤ情報をカードリーダ８１で読み取って個人認証するように構成してもよい。この場合、各クライアントパソコン３１Ａ〜３１Ｅ等のある部屋と異なる部屋に設置した各書庫１Ａ，１Ｂ，２Ａ，２ＢのハンドルＢＯＸ１１，１２，１９〜２２について解錠準備ができて、操作パネル１３，２３のＬＥＤボタン１６が点灯しているときは、操作パネル１３，２３のカードリーダ８１を使用して使用者が個人認証を行った上でＬＥＤボタン１６を押すことができるようになる。このため、使用者が書庫１Ａ，１Ｂ，２Ａ，２Ｂのある部屋へ行く前に、解錠準備ができたハンドルＢＯＸ１１，１２，１９〜２２を他人が不正に操作することができず、書庫１１，１２，１９〜２２の観音扉４Ａ，４Ｂ等が不正に開けられることを防止することができる。
【００８２】
（４）前記各実施形態では、識別情報入力装置としてカードリーダ３４，３４Ａ〜３４Ｅを設けたが、指紋検出器や手静脈検出器等の身体情報検出機器を識別情報入力装置として使用することもできる。また、使用者のＩＤ情報を予め記録したＩＣチップを携帯電話に内蔵しておき、カードリーダの替わりにＩＣチップの情報を読み取るＩＣリーダを識別情報入力装置として設ける。そして、携帯電話をＩＣリーダに近付けることでＩＤ情報を入力するように構成してもよい。
【００８３】
（５）前記第１実施形態では、各制御ユニット１７，２４を書庫１，２の上面に設置たが、各制御ユニットを書庫の内部に取り付けるように構成してもよい。この場合、制御ユニットを書庫により保護することができる。
【図面の簡単な説明】
【００８４】
【図１】保管庫の電子錠前装置の全体構成を示す斜視図。
【図２】ハンドルＢＯＸを示す斜視図。
【図３】操作パネルを示す斜視図。
【図４】電子錠前装置の電気的構成を示すブロック図。
【図５】書庫の観音扉に取り付けられたハンドルＢＯＸを示す断面図。
【図６】観音扉に対するハンドルＢＯＸの取付構造を内側から示す分解斜視図。
【図７】ハンドルＢＯＸのベースの取付構造を内側から示す分解斜視図。
【図８】ハンドルＢＯＸの枠体と遮蔽扉の組付構造等を内側から示す分解斜視図。
【図９】ロック機構の動作を示す斜視図。
【図１０】ロック機構の動作を示す斜視図。
【図１１】パソコンが実行する制御プログラムを示すフローチャート
【図１２】制御ユニットが実行する制御プログラムを示すフローチャート。
【図１３】電子錠前装置の電気的構成を示すブロック図。
【図１４】保管庫の電子錠前装置の全体構成を示す斜視図。
【図１５】操作パネルを示す斜視図。
【図１６】制御ユニットが実行する制御プログラムを示すフローチャート。
【符号の説明】
【００８５】
１    第１の書庫
２    第２の書庫
４Ａ    観音扉
４Ｂ    観音扉
５Ａ    ハンドル
５Ｂ    ハンドル
６Ａ    扉錠
６Ｂ    扉錠
７Ａ    引出し
７Ｂ    引出し
７Ｃ    引出し
８    観音扉
９Ａ    ハンドル
９Ｂ    ハンドル
９Ｃ    ハンドル
９Ｄ    ハンドル
１０Ａ    引出し錠
１０Ｂ    扉錠
１１    ハンドルＢＯＸ（遮蔽器）
１２    ハンドルＢＯＸ（遮蔽器）
１４    枠体
１５    遮蔽扉（遮蔽部材）
１５ａ    フック（被係合部）
１６    ＬＥＤボタン（表示器，開閉スイッチ）
１７    制御ユニット（制御装置）
１８    配線
１９    ハンドルＢＯＸ（遮蔽器）
２０    ハンドルＢＯＸ（遮蔽器）
２１    ハンドルＢＯＸ（遮蔽器）
２２    ハンドルＢＯＸ）遮蔽器）
２４    制御ユニット（制御装置）
３１    パソコン（制御装置）
３４    カードリーダ（識別情報入力装置）
３４ａ    配線
３５    配線
４７    固定用ネジ（締付部材）
４９    ロック機構
５２    ツメ（係合部）
５３    ソレノイド
７２    サーバ（制御装置）
８１    カードリーダ（識別情報入力装置）
【図１】
2008121205.tif 000003
【図２】
2008121205.tif 000004
【図３】
2008121205.tif 000005
【図４】
2008121205.tif 000006
【図５】
2008121205.tif 000007
【図６】
2008121205.tif 000008
【図７】
2008121205.tif 000009
【図８】
2008121205.tif 000010
【図９】
2008121205.tif 000011
【図１０】
2008121205.tif 000012
【図１１】
2008121205.tif 000013
【図１２】
2008121205.tif 000014
【図１３】
2008121205.tif 000015
【図１４】
2008121205.tif 000016
【図１５】
2008121205.tif 000017
【図１６】
2008121205.tif 000018